(57)【特許請求の範囲】
【請求項１】
各々がアクセス・チャネルとページング・チャネルとを備える複数のセクタを有する通信セルのための通信サービスを提供するワイヤレス通信システムにおいて、前記アクセス・チャネルを介する前記通信システムへの移動アクセスを制御する方法であって：
複数の移動アクセス・パラメータを監視する段階であって、前記複数の移動アクセス・パラメータは、アクセス種類と、アクセス種類の比率とを含む、前記監視する段階；
前記複数の移動アクセス・パラメータに基づいて制御情報を生成する段階；および
前記ページング・チャネルを介して移動局に制御情報を提供する段階；
によって構成され、前記移動局が前記制御情報に応じて前記通信システムにアクセスし、前記複数の移動アクセス・パラメータが前記通信セル内の前記複数のセクタから発される移動アクセスに関わることを特徴とする方法。
【請求項２】
前記移動アクセスが、データ・バースト・メッセージ，登録，ページ肯定応答および呼出開始のうち少なくとも１つ以上によって構成されることを特徴とする請求項１記載の方法。
【請求項３】
前記ページング・チャネルを通じて制御情報を生成する前記段階が、前記ページング・チャネルを通じて、アクセス・パラメータ・メッセージ内の複数の持続性アクセス制御パラメータによって構成される制御情報を生成する段階によって構成されることを特徴とする請求項１記載の方法。
【請求項４】
前記複数の持続性アクセス制御パラメータが、基礎持続性値および持続性変更子のうち少なくとも１つ以上によって構成されることを特徴とする請求項３記載の方法。
【請求項５】
各々がアクセス・チャネルとページング・チャネルとを備える複数のセクタを有する通信セルのための通信サービスを提供するワイヤレス通信システムにおいて、前記アクセス・チャネルを介する前記通信システムへの移動アクセスを制御する装置であって：
複数の移動アクセス・パラメータを監視する移動アクセス検出器であって、前記複数の移動アクセス・パラメータは、アクセス種類と、アクセス種類の比率とを含む、前記移動アクセス検出器；
動作命令を含むメモリ；
前記メモリおよび前記移動アクセス検出器に結合され、前記動作命令に応じて前記基地局上で動作可能であり、前記複数の移動アクセス・パラメータに基づいて制御情報を生成するプロセッサ；および
前記プロセッサに結合される送信ユニット；
によって構成され、前記送信ユニットが前記ページング・チャネルを通じて制御情報を提供し、前記複数の移動アクセス・パラメータが前記通信セル内の前記複数のセクタから発される移動アクセスに関わることを特徴とする装置。
【請求項６】
前記移動アクセスが、データ・バースト・メッセージ，登録，ページ肯定応答および呼出開始のうち少なくとも１つ以上によって構成されることを特徴とする請求項５記載の装置。
【請求項７】
前記制御情報が、複数の持続性アクセス制御パラメータによって構成されることを特徴とする請求項５記載の装置。
【請求項８】
前記複数の持続性アクセス制御パラメータが基礎持続性値および持続性変更子のうち少なくとも１つ以上によって構成されることを特徴とする請求項７記載の装置。
【請求項９】
各々がアクセス・チャネルとページング・チャネルとを備える複数のセクタを有する通信セルのために通信サービスを提供するワイヤレス通信システムであって、プロセッサはコンピュータによる読取が可能な媒体上に具現されるコンピュータ・プログラムに従って動作して、前記アクセス・チャネルを介して前記通信システムに対する移動アクセスを制御することを特徴とするワイヤレス通信システムにおける、前記コンピュータ・プログラムであって：
前記プロセッサに対し、複数の移動アクセス・パラメータを監視することを命令する第１ルーチンであって、前記複数の移動アクセス・パラメータは、アクセス種類と、アクセス種類の比率とを含む、前記第１ルーチン；
前記プロセッサに対し、前記複数の移動アクセス・パラメータに基づき制御情報を生成することを命令する第２ルーチン；および
前記プロセッサに対し、前記ページング・チャネルを通じて制御情報を提供することを命令する第３ルーチン；
によって構成され、前記複数の移動アクセス・パラメータが前記通信セルの前記複数のセクタ内に発される移動アクセスに関わることを特徴とするコンピュータ・プログラム。
【発明の詳細な説明】
（関連出願との相互参照）
本明細書は、２０００年２月２９日出願の先行米国出願第６０／１８５，７７０号に基づき、それに対する優先権をここに請求する。
【０００１】
（発明の分野）
本発明は、一般にワイヤレス通信システムに関し、さらに詳しくは、ワイヤレス通信システムに対する移動アクセスを制御する方法および装置に関する。
【０００２】
（発明の背景）
ワイヤレス通信システムは、システムと要素の複合ネットワークである。典型的な要素には、（１）少なくとも１つの、通常は数個の基地局により提供される移動局（たとえばセルラ電話）との無線リンク，（２）基地局間の通信リンク，（３）基地局間の通信を制御し、基地局の動作と相互作用とを管理するための、通常は１つ以上の基地局コントローラまたは集中基地局コントローラ（BSC/CBSC：base station controllers or centralized base station controllers），（４）システム内で呼を配信する、通常は移動交換センタ（MSC：mobile switching center）である呼出コントローラまたはスイッチおよび（５）通常これもMSCにより提供される地上回線または公衆電話交換網（PSTN：public switch telephone network）に対するリンクがある。
【０００３】
ワイヤレス通信システムにおいては、移動局はいくつかの通信チャネル、たとえば制御チャネル，トラフィック・チャネルおよびアクセス・チャネル上で基地局と通信するのが普通である。詳しくは、移動局は、アクセス・チャネルを利用し、移動アクセス・メッセージを介して通信サービスを求める要求、すなわち通信システムにアクセスする要求を基地局に通知する。移動アクセス・メッセージとは、登録，データ・バースト・メッセージ，ページ肯定応答およびアクセス・チャネルを介して基地局に送信される、移動局が発した呼出開始などである。しかし、自発的な移動アクセス・メッセージ、すなわち基地局に促されずに発された移動アクセス・メッセージのみが、通信システムにアクセスするために制御される。具体的には、自発的移動アクセス・メッセージには、登録，データ・バースト・メッセージおよび呼出開始が含まれる。登録は移動局の状況、すなわち移動局が通信セル内の異なるセクタ内に移動したか否かを示す。データ・バースト・メッセージには、他の移動局、ページャまたはMSCに当てられるテキスト・メッセージが含まれる。呼出開始は、音声またはデータ呼を開始するための移動局による要求である。
【０００４】
ワイヤレス通信システムを設計する際の１つの要点は、移動局による通信システムへの高レベルなアクセスが保証されることである。緊急の状況で、あるいは移動局が高い優先順位を持つと識別される場合に移動局が通信システムにアクセスすることができることは、特に重要である。基地局が過負荷状態の場合に、通信システムは、このように緊急で優先順位の高い移動局が、基地局によってアクセスを無差別に拒否されることを防がねばならない。
【０００５】
地震や他の自然災害など緊急の状況において、移動局が膨大な量の移動アクセス・メッセージを発することはきわめて自然である。従って、緊急の移動アクセス・メッセージは、他の緊急でない登録，データ・バースト・メッセージまたは呼出開始よりも、通信システムに対してより高いアクセス順位を持つべきである。たとえば、消防士が更なる救援を求めるために利用する移動局から発される音声呼は、他の緊急でない移動アクセス・メッセージよりも高い優先順位を持つべきである。他の緊急の移動アクセス・メッセージとしては、システムの保守など特別の目的に用いられる移動局から発されるアクセス・メッセージがある。しかし、現代のワイヤレス通信システムは、移動アクセス・メッセージの発信源またはその種類を考慮することなく、通信システムに対する移動アクセスを無差別に拒否する。従って、上記の例で消防士が用いる移動局による呼出開始や、システム保守に利用される移動局からのデータ・バースト・メッセージが、現在のワイヤレス通信システムに対してはアクセスを無差別に拒否されることがある。
【０００６】
過負荷条件下の基地局は、移動アクセスに伴う重要性に関わらず通信システムの容量一杯まで任意の移動アクセスを許可するので、緊急でない移動局またはアクセスの種類が、緊急または優先度の高い移動局またはアクセス種類を抑えて通信システムにアクセスすることがある。従って、システムの使用可能性に基づいて通信システムに対する移動アクセスを制御し、通信システムにアクセスを求める移動局およびアクセス種類に優先順位を付ける方法および装置が必要である。
【０００７】
（好適な実施例の詳細説明）
本発明は、移動局に制御情報を与えることによって、アクセス・チャネルを介する通信システムへの移動アクセスを制御するための方法および装置を提供する。通信セル内の移動局のための通信サービスを提供する基地局は、複数の移動アクセス・パラメータを監視する。詳しくは、基地局は、登録（レジストレーション）のみ，データ・バースト・メッセージのみおよび通信セル内に発されるすべての移動アクセスの総量などのアクセス種類と、アクセス種類の比率とを監視する。アクセス種類の比率に基づき、基地局は、特定の移動局または移動アクセス種類による通信システムへのアクセスを制御するための制御情報を生成する。
【０００８】
制御情報は、一般に複数の持続性アクセス制御パラメータ（persistence access control parameter）を含む。このパラメータは、基礎持続性値（base persistence value）と持続性変更子（persistence modifier）などである。基礎持続性値は、移動局の移動アクセス過負荷クラスおよび各アクセス過負荷クラスのすべてのアクセス種類に関するアクセス制限レベルに関連し、それを識別する。詳しくは、一般市民が用いる普通の移動局は、０から９までの移動アクセス過負荷クラスに属し、緊急またはシステム保守などの特別の目的ための移動局は１１から１５までの移動アクセス過負荷クラスに属する。たとえば、システム保守のための移動局は、８の移動アクセス過負荷クラスに属する移動局よりもシステム・アクセスに関して高い優先順位を受ける。持続性変更子は、移動局が試みる移動アクセス種類に関連し、それを識別する。従って、本発明は通信システムにアクセスしようと試みる移動局の移動アクセス過負荷クラスと移動アクセス種類とに関連する制御情報を生成することにより、通信システムに対する移動アクセスを制御する。
【０００９】
基地局は、ページング・チャネルを介してアクセス・パラメータ・メッセージ内に制御情報を、通信セルの移動局に与える。通信システムに対するアクセスを開設しようとする試みに先行して、移動局は、制御情報を伝えるアクセス・パラメータ・メッセージを受信し、制御情報を利用して、アクセス種類とアクセス・チャネルの現容量とに基づき移動アクセスが許可されるか否かを判断する。その結果、移動局の特定の過負荷クラスまたは移動アクセス種類は、通信システムへのアクセスを拒否されることがある。たとえば、優先順位の高い過負荷クラスの移動局が緊急＃９１１呼出を行うことによりアクセス・チャネル過負荷状況において通信システムにアクセスをしようとする。本発明は、同じ通信セル内で発する緊急でない移動アクセスの試みで、このような移動局がサービスを拒絶されることがないようにする。従って、アクセスを試みる移動局が無差別にサービスを拒絶されないようにするために、基地局は、アクセス種類とアクセス種類の比率を含む複数の移動アクセス・パラメータを監視し、複数の移動アクセス・パラメータに基づいて制御情報を生成し、通信セル内の移動局に制御情報を与え、そこから、移動局の過負荷クラスおよび移動局が試みる移動アクセス種類に基づいて、移動アクセスを試みようとするか否かを判断する。
【００１０】
本発明は、いくつかの好適な実施例により、詳しくは、いくつかの通信規準のうち少なくとも１つの規準により動作するワイヤレス通信システムに関して解説される。この規準には、アンプス（AMPS：Advanced Mobile Phone System），狭帯域アンプス（NAMPS：Narrowband Advanced Mobile Phone system），汎ヨーロッパ・デジタル化移動体通信システム（GSM：Global System for Mobile Communications），IS-55時分割多重接続（TDMA：Time Division Multiple Access）デジタル・セルラ，IS-95符号分割多重接続（CDMA：Code Division Multiple Access）デジタル・セルラ，CDMA2000，パーソナル・コミュニケーション・システム（PCS：Personal Communications System）およびこれらのプロトコルの変形や展開その他のアナログ，デジタルまたは二重モード通信システム・プロトコルが含まれる。図１に示すように、ワイヤレス通信システム１００は、移動交換センタ（MSC）１１０と複数の基地局コントローラ（BSC）とを含み、基地局コントローラは一般的に１２０，１２５と示され、サービス・エリア１３０全体にサービスを提供する。このようなシステムに関して周知の如く、各BSC１２０，１２５は、複数の基地局（ＢＳ）をそれに連携して有する。これらは一般的に１４０，１４５，１５０，１５５と示され、サービス・エリア１３０内全域で一般的に１６０，１６５，１７０，１７５と示される通信セルにサービスを提供する。MSC１１０，BSC１２０，１２５および基地局１４０，１４５，１５０，１５５は、移動局（MS）にワイヤレス通信サービスを提供する適用可能な規準または規準群により指定され、動作する。これらの移動局は、一般的に１８０，１８５，１９０，１９５と示され、通信セル１６０，１６５，１７０，１７５内で動作する。またこれらの要素の各々は、イリノイ州Schaumburgのモトローラ社から市販される。
【００１１】
上記の如く、ワイヤレス通信システム１００内の通信セル１６０，１６５，１７０，１７５は、複数のセクタに分割される。さらに、各セクタは、チャネルの異なる集合によりサービスを提供され、移動局と、通信セルにサービスを提供する基地局との間に通信サービスを行う。次に図２を参照して、一般的に１６０，１６５と示される通信セルは、複数のセクタに分割される。これらのセクタは、一般的に２１０，２１３，２１６，２１９，２２２，２２５と２３０，２３３，２３６，２３９，２４２，２４５としてそれぞれ示される。同様に、通信セル１７０，１７５も複数のセクタに分割される。これらのセクタは、それぞれ、２５０，２５３，２５６，２５９，２６２，２６５と２７０，２７３，２７６，２７９，２８２，２８５として示される。各セクタは、セクタに関わる基地局との通信を行うためにチャネルによりサービスを提供される。たとえば、通信セル１６５のセクタ２４２においては、移動局１８５が第１アクセス・チャネル上で基地局１４５と通信する。同様に、通信セル１６５のセクタ２３６においては、移動局１９０が第２アクセス・チャネル上に基地局１４５と通信する。アクセス・チャネルは、移動局１８５，１９０から基地局１４５への短い信号化メッセージすなわち、呼出開始，ページ肯定応答，データ・バースト・メッセージおよび登録などの移動アクセス・メッセージのために用いられる。基地局１４５は、第１および第２ページング・チャネルを利用して移動局１８５，１９０とそれぞれ通信する。ページング・チャネルは、制御情報の送信に用いられる。これについては下記に詳述する。また基地局１４５から移動局１８５，１９０へのページの送信にも用いられる。また、各セクタは搬送波と結びつき、基地局と移動局とが互いに通信するためのセクタと搬送波の対を形成する。
【００１２】
通信システム１００の各通信セル（たとえば通信セル１６５）において、基地局（たとえば基地局１４５）は、複数の移動アクセス・パラメータを監視して、通信セル内の移動局（たとえば移動局１８５，１９０）に通信サービスを提供する。複数の移動アクセス・パラメータは、通信セルの複数のセクタ（たとえばセクタ２３０，２３３，２３６，２３９，２４２，２４５）内で発される移動アクセスと関連し、それを識別する。たとえば、通信セル１６５については、複数の移動アクセス・パラメータが第１および第２アクセス・チャネルを介して移動局１８５，１９０からそれぞれ発される移動アクセスに関連する。
【００１３】
複数の移動アクセス・パラメータは、一般に、第１移動アクセス・パラメータ，第２移動アクセス・パラメータおよび第３移動アクセス・パラメータを含む。詳しくは、第１移動アクセス・パラメータは、通信セル１６５内で発される登録，データ・バースト・メッセージ，ページ肯定応答および呼出開始などすべてのアクセス・チャネル事象に関わる。第１移動アクセス・パラメータは、通信セル１６５内の移動局１８５，１９０から発するすべての移動アクセス・トラフィックを制御するために利用される。第２移動アクセス・パラメータは、登録トラフィックのみに関わり、登録を制御するために利用される。第３移動アクセス・パラメータは、データ・バースト・メッセージ・トラフィックのみに関わり、データ・バースト・メッセージを制御するために利用される。基地局１４５は、複数の移動アクセス・パラメータに基づいて制御情報を生成する。制御情報は、特定の移動アクセス過負荷クラスまたは移動アクセス種類により、通信システム１００に対する移動アクセスを制御するために生成される。上記の如く、制御情報は、一般に複数の持続性アクセス制御パラメータを備え、これらのパラメータを移動局１８５，１９０が用いて、通信システム１００にアクセスを試みるか否かを判断する。
【００１４】
従って、基地局１４５は、移動局１８５，１９０に対し、第１および第２ページング・チャネルを介して、アクセス・パラメータ・メッセージ内で制御情報を提供する。通信セル１６５内のそれぞれのセクタ２４２，２３６に割り当てられるアクセス・チャネルを介して移動アクセス・メッセージを送信することによる、通信システム１００へのアクセスの試みに先立ち、各移動局１８５，１９０は、制御情報を用いて、通信セル１６５の使用可能性、すなわち、基地局１４５が過負荷になっていないか、また移動アクセスが失敗する可能性がないか否かを判断する。また、各移動局１８５，１９０は制御情報を用いて、アクセス源と種類に基づき、すなわち基礎持続性値と持続性変更子にとそれぞれ基づいて移動局のアクセスの試みに優先順位を付ける。
【００１５】
移動アクセスの数または比率が一定のアクセス・チャネル容量を超えると、基地局１４５は過負荷になり、移動アクセス試行が管理および制御されない場合は、通信セル１６５のセクタ２３０，２３３，２３６，２３９，２４２，２４５内に発される移動アクセスを無差別に許可することがある。アクセス要求の移動分類または種類にかかわらず容量が許す限り追加の移動アクセスが許可されるので、移動アクセスは無差別なものと記述される。本発明の好適な実施例により、各移動局１８５，１９０は、基地局１４５が提供する制御情報を利用して基地局１４５の条件、すなわち、基地局が過負荷条件にあるか否かをアクセス試行を行う前に判断する。詳しくは、各移動局１８５，１９０は、通信セル１６５内のセクタ２３０，２３３，２３６，２３９，２４２，２４５の条件と、移動局１８５，１９０のアクセス過負荷クラスと、移動局１８５，１９０が行おうとするアクセスの種類とに基づいて、アクセス・チャネルに移動アクセス・メッセージを送信する確率を判断する。たとえば、移動局１８５は、緊急，試験またはシステム保守などの特別な目的のためのクラスに属し、移動局１９０は普通の移動局、すなわち０から９までの範囲の移動アクセス過負荷クラスに属する移動局である。この場合、移動局１８５は、関連のアクセス・チャネルを介してサービスを要求するために、移動局１９０より高い優先順位を受け取る。
【００１６】
符号分割多重接続（CDMA）準拠通信システムなどのワイヤレス通信システムにおいて、制御情報には、一般に、複数の持続性アクセス制御パラメータが含まれる。これらのパラメータは、当業者には容易に理解いただけるように、移動局が、移動局にサービスを提供する基地局の条件を判断するために用いる。詳しくは、複数の持続性アクセス制御パラメータは、基地局が監視する複数の移動アクセス・パラメータに基づいて決まる。複数の持続性アクセス制御パラメータは、一般に、基礎持続性値および持続性変更子などを含む。
【００１７】
基礎持続性値は、第１移動アクセス・パラメータに関わり、移動局のアクセス過負荷クラスを識別する。これは、普通は、移動局識別子または国際移動加入者識別子（IMSI：international mobile subscriber identity）の最終桁に対応する。通常、一般市民が使用する移動局は、０から９までの範囲内の移動アクセス過負荷クラスに属する。基礎持続性値PSIST(0-9)は、０から９までの範囲にある移動アクセス過負荷クラスに属する移動局が試みる移動アクセスを制御するために用いられる６ビットの値である。緊急，試験またはシステム保守などの特殊な目的のための移動局は、１０から１５までの範囲内の移動アクセス過負荷クラスに属する。たとえば、移動アクセス過負荷クラス１０は、通常は、緊急用の移動局に関わり、それを識別する。また、移動アクセス過負荷クラス１１は、通常は試験用移動局に関わり、それを識別する。基礎持続性値PSIST(N)は、１０から１５までの範囲内の移動アクセス過負荷クラスに属する移動局によるアクセス試行を制御するために用いられる。
【００１８】
持続性変更子REG_PSISTおよびMSG_PSISTは、それぞれ第２移動アクセス・パラメータと第３移動アクセス・パラメータとに関連し、それぞれ、登録またはデータ・バースト・メッセージのいずれかである移動アクセス種類を識別する。詳しくは、第２移動アクセス・パラメータに関わる持続性変更子REG_PSISTは、アクセス・チャネル上に登録アクセスのために基礎持続性値が与える制限レベルを上げるために用いられる３ビットの値である。第３移動アクセス・パラメータに関わるMSG_PSISTは、アクセス・チャネル上にデータ・バースト・メッセージのために基礎持続性値が与える制限レベルを上げるために用いられる３ビットの値である。呼出開始は、基礎持続性値すなわちPSIST(0-9)またはPSIST(N)のみにより制御される。従って、本発明の好適な実施例により、持続性変更子REG_PSISTまたはMSG_PSIST値がそれぞれゼロでない場合は、移動局からの呼出開始が通信システムに対するアクセスを拒否される可能性は、同じ移動局からの登録またはデータ・バースト・メッセージよりも少ない。
【００１９】
アクセスを試みる前に、移動局１８５，１９０などの移動局は、０と１の間の擬似乱数を内部で生成し、アクセス値（Ｐ）を決定する。アクセス値（Ｐ）は、アクセス・チャネルを介して移動アクセス・メッセージを送信することにより移動局がアクセス試行を許される確率を直接的に示す。詳しくは、アクセス値（Ｐ）は、基礎持続性値および持続性変更子のいずれか、あるいは両方に基づいて決まる。移動局１８５などの、０から９までの範囲を持つ移動アクセス負荷クラスに属する移動局に関してアクセス値（Ｐ）を決定する式は次の通りである：
（１）アクセス試行が登録の場合は、Ｐ＝２-PSIST(0-9)/4＊２-REG_PSIST
（２）アクセス試行がデータ・バースト・メッセージの場合は、Ｐ＝２-PSIST(0-9)/4＊２-MSG_PSIST；または
（３）アクセス試行が呼出開始の場合は、Ｐ＝２-PSIST(0-9)/4。
式（３）に示すように、呼出開始は基礎持続性値のみにより制限される。従って、移動局からの呼出開始は、登録またはデータ・バースト・メッセージよりも成功する確率が高い。すなわち、基地局により通信サービスを拒否される可能性が小さい。このため、呼出開始は同じ移動局の登録またはデータ・バースト・メッセージよりも優先順位が高い。
【００２０】
移動局１９０のような１０から１５までの範囲を持つ移動アクセス過負荷クラス（Ｎ）に属する移動局に関して値Ｐを決定する式を以下に示す：
（１）移動アクセスが登録の場合は、Ｐ＝２-PSIST(N)＊２-REG_PSIST
（２）移動アクセスがデータ・バースト・メッセージの場合は、Ｐ＝２-PSIST(N)＊２-MSG_PSIST；または
（３）移動アクセスが呼出開始の場合は、Ｐ＝２-PSIST(N)。
０から９までの範囲を持つ移動アクセス過負荷クラスに属する移動局による呼出開始と同様に、１０から１５までの範囲を持つ移動アクセス過負荷クラスに属する移動局による呼出開始は、基礎持続性値のみにより制御される。
【００２１】
アクセス値（Ｐ）が決定すると、これを擬似乱数と比較する。値Ｐが擬似乱数より大きい場合は、移動局は、アクセス・チャネルを介してアクセス試行を行うことを許される。値Ｐが擬似乱数よりも小さい場合は、移動局は、アクセス・チャネル上で送信する次の機会が得られるまで待ち、擬似乱数を再度生成して値Ｐを決定することにより工程を繰り返す。
【００２２】
本発明の好適な実施例により、また図３を参照して、ワイヤレス通信システムに対する移動アクセスを制御する方法３００を図示する。方法３００は、段階３１０で始まる。ここで基地局は、複数の移動アクセス・パラメータを監視する。詳しくは、基地局は、第１移動アクセス・パラメータ，第２移動アクセス・パラメータおよび第３移動アクセス・パラメータを監視する。第１移動アクセス・パラメータは、基地局がサービスを提供する通信セル内の１つのセクタの中の移動局から発するすべての移動アクセス・トラフィックに関わる。第２移動アクセス・パラメータは、通信セル内の複数のセクタの中の移動局から発する登録トラフィックのみに関わる。第３移動アクセス・パラメータは、通信セルの複数のセクタ内の移動局から発するデータ・バースト・メッセージのみに関わる。段階３２０において、基地局は、複数の移動アクセス・パラメータに基づき制御情報を生成する。上記の如く、制御情報には、複数の移動アクセス・パラメータに基づく複数の持続性アクセス制御パラメータが含まれる。詳しくは、基礎持続性値すなわちPSIST(0-9)またはPSIST(N)はすべての移動アクセス・パラメータに基づく。持続性変更子すなわちREG_PSISTまたはMSG_PSISTは、第２移動アクセス・パラメータまたは第３移動アクセス・パラメータに、それぞれ基づいて決まる。アクセス・チャネルを介して移動局がアクセス試行を行うことを許されるか否かは、複数の持続性アクセス制御パラメータにより決まるアクセス値Ｐに基づいて決まる。段階３３０において、基地局は、通信セル内の移動局に、ページング・チャネルを介して制御情報を伝えるアクセス制御メッセージを与え、通信システムの移動アクセスを制御する。アクセス試行を行う前に、段階３４０において、移動局は、制御情報内の複数の持続性アクセス制御パラメータ、すなわち基礎持続性値および持続性変更子を用いて、上記の要領でアクセス値（Ｐ）を決定する。値Ｐは、移動アクセスを試みる移動局の移動アクセス過負荷クラスと移動アクセス種類とに基づいて決まる。
【００２３】
図４を参照して、基地局１４０，１４５，１５０，１５５などの基地局は、本発明の好適な実施例により、アクセス・チャネルを介する通信システムへの移動アクセスを制御する。基地局（たとえば基地局１４５）は、一般に、受信ユニット４１０，移動アクセス検出器４２０，プロセッサ４３０，メモリ４４０および送信ユニット４５０を備える。受信ユニット４１０は、基地局（すなわち基地局１４５）がサービスを提供する通信セル（たとえば通信セル１６５）内の移動局（たとえば移動局１８５，１９０）から発される移動アクセス・メッセージを受信する。
【００２４】
移動アクセス検出器４２０は、受信ユニット４１０とプロセッサ４３0とに結合され、第１移動アクセス・パラメータ，第２移動アクセス・パラメータおよび第３移動アクセス・パラメータを含む複数の移動アクセス・パラメータを監視する。詳しくは、第１移動アクセス・パラメータは、通信セル１６５内の移動局１８５，１９０から発される登録，データ・バースト・メッセージ，ページ肯定応答および呼出開始を含むすべての移動アクセス・トラフィックに関連する。第２移動アクセス・パラメータは、通信セル１６５内の移動局１８５，１９０から発される登録トラフィックのみに関連する。第３移動アクセス・パラメータは、通信セル１６５内の移動局１８５，１９０から発されるデータ・バースト・メッセージ・トラフィックのみに関連する。移動アクセス検出器４２０は、複数の移動アクセス・パラメータをプロセッサ４３０に中継し、複数の移動アクセス・パラメータに基づいて制御情報を生成する。
【００２５】
メモリ４４０は、プロセッサ４３０に結合され、プロセッサ４３０のためのプログラムまたは動作命令を格納する。プロセッサ４３０は、プログラムまたは動作命令の集合を実行して、基地局１４５が本発明の好適な実施例により動作するようにする。あるいは、プログラムまたは動作命令の集合は、紙，プログラマブル・ゲート・アレイ，特定用途向け集積回路，消去書込可能読取専用メモリ，読取専用メモリ，ランダム・アクセス・メモリ，磁気媒体および光媒体などのコンピュータが読取可能な媒体に具現されることもある。詳しくは、制御情報には、複数の持続性アクセス制御パラメータが含まれる。
【００２６】
送信ユニット４５０は、プロセッサ４３０に結合され、通信セルのページング・チャネルを介してアクセス制御メッセージ内の制御情報を送信する。移動局１８５，１９０は、アクセス制御メッセージを受信し、制御情報を利用して、アクセス試行を行うことが許されるか否かを判断する。従って、移動局１８５，１９０は、基地局１４５によってアクセスを無差別に拒否されることがない。
【００２７】
本発明の正当な範囲およびその精神から逸脱することなく、数多くの変更と修正が可能であろう。いくつかの変更点の範囲は、上記に説明される。その他の範囲は、添付の請求項により明らかになる。
【図面の簡単な説明】
【図１】  本発明の好適な実施例により動作するワイヤレス通信システムのブロック図である。
【図２】  本発明の好適な実施例により動作する複数の通信セルのブロック図である。
【図３】  本発明の好適な実施例によるワイヤレス通信システムに対する移動アクセスを制御する方法を示す流れ図である。
【図４】  本発明の好適な実施例によるワイヤレス通信システムに対する移動アクセスを制御する装置を示すブロック図である。
【図１】
0004942895.tif 000002
【図２】
0004942895.tif 000003
【図３】
0004942895.tif 000004
【図４】
0004942895.tif 000005